(57)【要約】【課題】投映手段の使用時の操作性を向上させることができる電子機器及びカメラを提供する。【解決手段】タッチパネル１５を備える液晶表示部５０と画像を投射するプロジェクタ部が搭載されたカメラ本体１１とを、アーム２１とヒンジ２２，２３とで構成される連結機構２０で連結した。液晶表示部５０を設置面に設置したとき、液晶表示部５０を設置面に沿って移動させることでカメラ本体１１を設置面４０に対して任意の角度に設置することができる。ユーザはタッチパネル１５上のプロジェクタフォーカスダイヤル画像１１４を操作してフォーカス調整を行う。【選択図】図１
2013150061.tif 000002
【特許請求の範囲】
【請求項１】
表示画面上の物体の接触位置及び前記物体の移動方向を検出する接触検出部を配置した表示手段と、
画像を投映面に向けて投映する投映手段が搭載された電子機器本体とを備え、
前記電子機器本体と前記表示手段とが連結機構を介して連結されていることを特徴とする電子機器。
【請求項２】
前記連結機構は、アームと、前記アームの一端に設けられ、前記電子機器本体を回転可能に支持する第１ヒンジと、前記アームの他端に設けられ、前記表示手段を回転可能に支持する第２ヒンジとで構成され、前記電子機器本体及び前記表示手段をそれぞれ設置面に対して任意の角度に設置可能であることを特徴とする請求項１記載の電子機器。
【請求項３】
前記表示手段の表示画面の裏面に滑り止め部材が設けられていることを特徴とする請求項１又は２記載の電子機器。
【請求項４】
前記電子機器本体に設けられ、前記投映面上の前記画像のフォーカスを操作するフォーカス操作手段と、
前記電子機器本体に設けられ、前記フォーカス操作手段の動きに同期して前記フォーカス操作手段に対応する前記表示手段上画像が変化するように前記表示手段を制御する制御手段と
を備えていることを特徴とする請求項１〜３のいずれか１項記載の電子機器。
【請求項５】
前記表示手段の表示画面にタッチして前記フォーカスの調整を制御する制御手段を備えていることを特徴とする請求項１〜３のいずれか１項記載の電子機器。
【請求項６】
前記電子機器本体に設けられ、被写体を撮像する撮像手段を備え、
前記制御手段は、電源起動時に前記表示手段に前記撮像手段及び前記投映手段のいずれかを選択するための選択ボタンを表示させ、前記投映手段が選択されたとき、前記表示手段に画像再生ボタンを表示させることを特徴とする請求項４又は５記載の電子機器。
【請求項７】
前記制御手段は、前記画像再生ボタンがタッチされたとき、前記投映手段を選択するための画像を前記表示手段に表示させることを特徴とする請求項６記載の電子機器。
【請求項８】
前記制御手段は、前記投映手段が選択されたとき、前記投映手段のオン・オフ操作ボタンと前記フォーカス操作手段との画像を前記表示手段に表示させることを特徴とする請求項６又は７記載の電子機器。
【請求項９】
請求項１〜８のいずれか１項記載の電子機器はカメラである。
【発明の詳細な説明】
【技術分野】
【０００１】
この発明は電子機器及びカメラに関する。
【背景技術】
【０００２】
従来、撮影機能と投映表示機能とを備えたデジタルカメラが知られている（下記公報参照）。カメラ本体の上面には、電源ボタン、カメラ機能とプロジェクタ機能とを切り替える撮影投映切替ボタン及びシャッタボタンが設けられている。カメラ本体の背面には、撮影画像を表示するＬＣＤ表示パネル、ファインダ接眼窓、撮影モードと再生モードとを切り替える撮影再生切替ボタン、撮像投映レンズのズーミングを行うズームボタン、再生モードでの再生画像の送り又は戻りを行わせる送りボタンと戻りボタン等の他に撮影準備や投映準備又は再生画面に関する操作等を行なう各種操作ボタンが設けられている。送りボタンと戻りボタンとが投映モードにおいて投映画像のピント合わせを手動で行うピント調節ボタンとなる。
【先行技術文献】
【特許文献】
【０００３】
【特許文献１】特開２０１０−１７１６９９号公報
【発明の概要】
【発明が解決しようとする課題】
【０００４】
上記デジタルカメラをプロジェクタとして用いるとき、その使用環境が暗く、操作ボタンの位置や操作方向が判別し難いため、ピント合わせ等の操作を行い難く、プロジェクタとしては使い難い。ＬＣＤ表示パネルに接触検出手段を配置して上記デジタルカメラにタッチ操作機能を持たせることも考えられるが、上記デジタルカメラをプロジェクタとして使用するとき、カメラ本体を傾ける必要があるため、ＬＣＤ表示パネルに表示される操作ボタンの位置や操作方向が判別し難い。
【０００５】
この発明はこのような事情に鑑みてなされたもので、その課題は投映手段の使用時の操作性を向上させることができる電子機器及びカメラを提供することである。
【課題を解決するための手段】
【０００６】
上記課題を解決するため請求項１記載の発明は、表示画面上の物体の接触位置及び前記物体の移動方向を検出する接触検出部を配置した表示手段と、画像を投映面に向けて投映する投映手段が搭載された電子機器本体とを備え、前記電子機器本体と前記表示手段とが連結機構を介して連結されていることを特徴とする。
【０００７】
請求項２に記載の発明は、請求項１記載の電子機器において、前記連結機構は、アームと、前記アームの一端に設けられ、前記電子機器本体を回転可能に支持する第１ヒンジと、前記アームの他端に設けられ、前記表示手段を回転可能に支持する第２ヒンジとで構成され、前記電子機器本体及び前記表示手段をそれぞれ設置面に対して任意の角度に設置可能であることを特徴とする。
【０００８】
請求項３に記載の発明は、請求項１又は２記載の電子機器において、前記表示手段の表示画面の裏面に滑り止め部材が設けられていることを特徴とする。
【０００９】
請求項４に記載の発明は、請求項１〜３のいずれか１項記載の電子機器において、前記電子機器本体に設けられ、前記投映面上の前記画像のフォーカスを操作するフォーカス操作手段と、前記電子機器本体に設けられ、前記フォーカス操作手段の動きに同期して前記フォーカス操作手段に対応する前記表示手段上画像が変化するように前記表示手段を制御する制御手段とを備えていることを特徴とする。
【００１０】
請求項５に記載の発明は、請求項１〜３のいずれか１項記載の電子機器において、前記表示手段の表示画面にタッチして前記フォーカスの調整を制御する制御手段を備えていることを特徴とする。
【００１１】
請求項６に記載の発明は、請求項４又は５記載の電子機器において、前記電子機器本体に設けられ、被写体を撮像する撮像手段を備え、前記制御手段は、電源起動時に前記表示手段に前記撮像手段及び前記投映手段のいずれかを選択するための選択ボタンを表示させ、前記投映手段が選択されたとき、前記表示手段に画像再生ボタンを表示させることを特徴とする。
【００１２】
請求項７に記載の発明は、請求項６記載の電子機器において、前記制御手段は、前記画像再生ボタンがタッチされたとき、前記投映手段を選択するための画像を前記表示手段に表示させることを特徴とする。
【００１３】
請求項８に記載の発明は、請求項６又は７記載の電子機器において、前記制御手段は、前記投映手段が選択されたとき、前記投映手段のオン・オフ操作ボタンと前記フォーカス操作手段との画像を前記表示手段に表示させることを特徴とする。
【００１４】
請求項９に記載の発明は、請求項１〜８のいずれか１項記載の電子機器はカメラである。
【発明の効果】
【００１５】
この発明によれば、投映手段の使用時の操作性を向上させることができる。
【図面の簡単な説明】
【００１６】
【図１】図１はこの発明の一実施形態に係るプロジェクタ付きカメラの使用状態を示す側面図である。
【図２】図２はプロジェクタ付きカメラの液晶表示部に表示された画像の一例を示す図である。
【図３】図３の図１のＡ矢視図である。
【図４】図４はプロジェクタ付きカメラの動作を説明するフローチャートである。
【発明を実施するための形態】
【００１７】
以下、この発明の実施の形態を図面に基づいて説明する。
【００１８】
図１はこの発明の一実施形態に係るプロジェクタ付きカメラ１０の使用状態を示す側面図、図２はプロジェクタ付きカメラの液晶表示部５０に表示された画像の一例を示す図、図３の図１のＡ矢視図である。
【００１９】
プロジェクタ付きカメラ１０は、カメラ本体（電子機器本体）１１と、画像情報やテキスト情報等を表示する液晶表示部（表示手段）５０と、カメラ本体１１と液晶表示部５０とを連結する連結機構２０とを備えている。テキスト情報は、プロジェクタ付きカメラ１０の動作状態、操作メニュー等である。
【００２０】
カメラ本体１１は投映レンズ、液晶パネル、ＬＥＤ光源等（いずれも図示せず）を備えている。ＣＰＵ（制御手段）３０からの指令に基づいてＬＥＤ光源が駆動され、例えば机等の設置面４０上に載置されたカメラ本体１１の正面側に配置されるスクリーン等の投映面（図示せず）に向けて、投映光をプロジェクタ投射窓から投映する図示しないプロジェクタ部（投映手段）（図示せず）がカメラ本体１１に搭載されている。
【００２１】
カメラ本体１１の正面には、撮像素子（撮像手段）の撮像面上に被写体像を結像させるための撮影レンズ、被写体に照明光を照射するための照明光窓、プロジェクタ投射窓等（いずれも図示せず）が設けられている。
【００２２】
カメラ本体１１の上面には、レリーズボタン１１、電源ボタン１２、プロジェクタＯＮ／ＯＦＦボタン１３、投映面上の画像のフォーカスを操作するプロジェクタフォーカスダイヤル（フォーカス操作手段）１４が設けられている。
【００２３】
プロジェクタＯＮ／ＯＦＦボタン１３は撮影操作モードやプロジェクタ操作モード等のプロジェクタ付きカメラ１０の動作モードを切り替えるためのボタンである。撮影操作モードは、被写体を撮影し、撮影した画像データを図示しない記録媒体（メモリカード（例えばフラッシュメモリ等の不揮発性メモリ）、内部メモリ等）に画像ファイルとして記録することができるモードである。
【００２４】
プロジェクタモードは、撮影済みの画像データを記録媒体から読み出し、再生画像をプロジェクタ部で投映面に投映することができるモードである。なお、プロジェクタモードでは、記録媒体以外から読み出された画像データやプロジェクタ付きカメラ１０の外部から入力した画像データの再生画像を投映することもできる。
【００２５】
プロジェクタフォーカスダイヤル１４は撮影レンズを構成するフォーカスレンズ（図示せず）を光軸方向へ進退させるボタンである。フォーカスレンズを光軸方向へ進退させることにより、プロジェクタ部の投映画像のフォーカス調整を行うことができる。プロジェクタフォーカスダイヤル１４にはエンコーダ（図示せず）が用いられ、エンコーダからの出力信号に基づいてＣＰＵ３０は図示しないフォーカスレンズ駆動モータを駆動する。このとき、ＣＰＵ３０はエンコーダからの出力信号に基づいて液晶表示部５０上のプロジェクタフォーカスダイヤル画像を変化させる。
【００２６】
また、ＣＰＵ３０は、プロジェクタフォーカスダイヤル１４の動きに同期して液晶表示部５０の表示画面に表示されたプロジェクタフォーカスダイヤル画像１１４が変化するように液晶表示部５０を制御する。更に、ＣＰＵ３０は、後述するように、液晶表示部５０の表示画面に指又はペンがタッチされたとき、その位置及び移動方向に応じてフォーカスレンズ駆動モータを駆動してフォーカスを調整する。
【００２７】
なお、ＣＰＵ３０は、制御プログラムに基づいて、プロジェクタ付きカメラ１０を構成するセンサ等の各部から入力される信号を用いて演算を行う等して、プロジェクタ付きカメラ１０のモータ等の各部に対する制御信号を出力することにより、撮影動作及び投映動作の制御を行う。制御プログラムはＣＰＵ３０内の不揮発性メモリに記憶されている。
【００２８】
液晶表示部５０の表示画面上には、指や入力用のペン等（物体）の接触位置及び移動方向を検出可能な接触検出部１５ａが配置され、タッチパネル１５が構成される。接触検出部１５ａは、タッチパネル１５上で指又はペン等がタッチされた位置、ドラッグされた方向、ドラッグされた回数を検出する。指又はペン等がタッチパネル１５に接触した状態で移動することをドラッグという。なお、接触検出部１５ａは液晶表示部５０の表示画面と同等の大きさを有する透明なパネルで構成されている。タッチパネル１５としては静電気による電気信号を感知する静電容量式のパネルや、圧力による電圧の変化を検知する抵抗膜式のパネル等がある。
【００２９】
タッチパネル１５はフォーカスを調整するときに使用される。ユーザはタッチパネル１５にタッチして所定方向へドラッグしてフォーカス調整をすることができる。図２において、矢印ａ（反時計方向）は合焦位置に近づく方向Ｎ（ｎｅａｒ）を示し、矢印ｂ（時計方向）は合焦位置から遠ざかる方向Ｆ（ｆａｒ）を示す。ユーザはタッチパネル１５上のプロジェクタフォーカスダイヤル画像１１４にタッチし、ドラッグするだけで、フォーカスを調整することができる。
【００３０】
連結機構２０は、アーム２１と、アーム２１の一端に設けられ、カメラ本体１１を回転可能に支持する第１ヒンジ２２と、アーム２１の他端に設けられ、液晶表示部５０を回転可能に支持する第２ヒンジ２３とで構成される。液晶表示部５０の裏面には図示しない滑り止め部材（ゴムやゴム風の塗装）が設けられている。
【００３１】
プロジェクタ付きカメラ１０をカメラとして使用するときは、図１に示した状態から液晶表示部５０を回転させて液晶表示部５０をカメラ本体１１の背面に密着させればよい。
【００３２】
また、プロジェクタ付きカメラ１０をプロジェクタとして使用するときは、液晶表示部５０をカメラ本体１１の背面から離れる方向へ引っ張って図１に示すように液晶表示部５０の裏面を設置面４０に密着させればよい。液晶表示部５０を設置面４０に沿って矢印に示すように動かすことによってカメラ本体１１の設置面４０に対する傾斜角度を変えることができる。
【００３３】
次に、プロジェクタ付きカメラ１０の動作を説明する。
【００３４】
図４はプロジェクタ付きカメラ１０の動作を説明するフローチャートである。図４においてＳ５１〜Ｓ５５は各処理ステップを示す。
【００３５】
まず、プロジェクタ付きカメラ１０（カメラ本体１１）の電源を投入する（Ｓ５１）。
【００３６】
撮影操作モード及びプロジェクタ操作モードの一方の操作モードを選択するための選択ガイドメニュー（選択ボタン）（図示せず）をＧＵＩとして液晶表示部（ＬＣＤ表示）５０に表示させる（Ｓ５２）。
【００３７】
タッチパネル１５にタッチしてプロジェクタ操作モードを選択した場合（プロジェクタ部の操作を選択した場合）、プロジェクタＯＮ／ＯＦＦボタン画像（画像再生ボタン）１１３とプロジェクタフォーカスダイヤル画像１１４とを液晶表示部５０の表示画面に拡大表示させる（図２参照）（Ｓ５３）。なお、撮影操作モードを選択した場合においても、プロジェクタＯＮ／ＯＦＦボタン１３等を液晶表示部５０の表示画面に表示させる。
【００３８】
その後、プロジェクタフォーカスダイヤル１４の回転角度情報をエンコーダで取得する。
【００３９】
プロジェクタフォーカスダイヤル画像１１４を操作したとき、回転角度情報に基づいてプロジェクタフォーカスダイヤル画像１１４が合焦位置に近づく方向へ操作されているか合焦位置から遠ざかる方向へ操作されているかの遠近情報を液晶表示部５０の表示画面に矢印ａ，ｂで表示する。このとき、遠近情報とともに、投映画像の合焦位置を数値で表示したり、現在の投映画像までの距離を表示したりする。
【００４０】
ユーザが液晶表示部５０の表示画面のプロジェクタフォーカスダイヤル画像１１４にタッチして合焦方向へドラッグさせると、フォーカスレンズが光軸方向へ移動し、投映画像のフォーカス調整が行われる。
【００４１】
なお、上述したようにプロジェクタフォーカスダイヤル１４を動かして合焦させたときには、プロジェクタフォーカスダイヤル１４の動きに同期してプロジェクタフォーカスダイヤル画像１１４が変化する。
【００４２】
この実施形態によれば、机等の設置面４０に液晶表示部５０が設置され、液晶表示部５０の表示画面に表示されるプロジェクタフォーカスダイヤル画像１１４等の位置や操作方向が判別し易いため、デジタルカメラをプロジェクタとして用いる際の操作性を向上させることができる。
【００４３】
また、カメラ本体１１が設置面４０に対して傾いても、カメラ本体１１と液晶表示部５０との間に配置されたアーム２１、ヒンジ２２，２３及び液晶表示部５０の裏面に設けられた滑り止めによってカメラ本体１１の設置状態が安定する。更に、タッチパネル１５が設置面４０に平行となるので、タッチパネル１５の操作性（タッチやドラッグ）が向上する。
【００４４】
なお、上記実施形態では、電子機器としてカメラを一例として説明したが、これに限られるものではなく、例えば携帯電話等でもよい。
【符号の説明】
【００４５】
１０：プロジェクタ付きカメラ（電子機器）、１１：カメラ本体、１３：プロジェクタＯＮ／ＯＦＦボタン、１４：プロジェクタフォーカスダイヤル（フォーカス操作手段）、１５：タッチパネル（タッチ操作部材）、２０：連結機構、２１：アーム、２２：第１ヒンジ、２３：第２ヒンジ、３０：ＣＰＵ（制御手段）、４０：設置面、５０：液晶表示部（表示手段）、１１３：プロジェクタＯＮ／ＯＦＦボタン画像、１１４：プロジェクタフォーカスダイヤル画像。
【図１】
2013150061.tif 000003
【図２】
2013150061.tif 000004
【図３】
2013150061.tif 000005
【図４】
2013150061.tif 000006